(57)【要約】      （修正有）【課題】早入り接点無し、早入り接点付きの仕様に簡単に対応できる回路遮断器の不足電圧引き外し装置を提供する。【解決手段】不足電圧引き外し装置を電磁石形の引き外しユニット７と早入り接点ユニット８の二つのモジュールに分けて構成し、当該引き外しユニット７は回路遮断器１のケース１ａに内装し、当該早入り接点ユニット８は外部操作ハンドル装置２のベース３に外付けして早入り接点としてのリミットスイッチを当該外部操作ハンドル装置２のスライドベース６に連係し、当該外部操作ハンドル装置２のロータリーハンドル４をＯＮ操作する途上で当該回路遮断器１の主回路接点が閉極するより前の行程で当該早入り接点を先に閉じる。【選択図】図１
2011119163.tif 000002
【特許請求の範囲】
【請求項１】
“外部操作ハンドル装置”および“不足電圧引き外し装置”を付属装置として備えた回路遮断器の付属装置において、
前記“不足電圧引き外し装置”を、引き外し機構を備えた“引き外しユニット”と早入り接点を備えた“早入り接点ユニット”の二つのモジュールに分けた上で、前記引き外しユニットを回路遮断器のケースに内装し、早入り接点ユニットは外部操作ハンドル装置に外付けして前記早入り接点を外部操作ハンドル装置の内部機構に連係し、外部操作ハンドル装置のＯＮ操作途上で回路遮断器の主回路接点が閉極するより前の行程で前記早入り接点を閉じるようにしたことを特徴とする回路遮断器の付属装置。
【請求項２】
請求項１に記載の付属装置において、“外部操作ハンドル装置”は回路遮断器のケースに取り付けるベースと、ロータリー式ハンドルと、該ハンドルの回転を直線方向の動きに変換して回路遮断器のロッカー式のハンドルをＯＮ，ＯＦＦ方向に駆動するスライドベースと、該スライドベースに搭載してＯＮ操作方向から前記ロッカー式ハンドルに対峙させたプッシャー，および該プッシャーを背後から付勢するバネを備え、かつ前記スライドベースとプッシャーとの間に遊びストロークを設定した構成になり、回路遮断器の投入操作過程で前記遊びストロークに対応するスライドベースの移動を捉えて早入り接点ユニットの早入り接点を開閉動作させるようにしたことを特徴とする回路遮断器の付属装置。
【請求項３】
請求項１または２のいずれかに記載の付属装置において、“早入り接点ユニット”が早入り接点を備えたリミットスイッチと、該リミットスイッチを保持した端子付きのフレームとの組立体からなり、前記フレームを“外部操作ハンドル装置”のベースに着脱可能に取り付け、この取付け位置でリミットスイッチの操作端を外部操作ハンドル装置のスライドベースに連係させたことを特徴とする回路遮断器の付属装置。
【発明の詳細な説明】
【技術分野】
【０００１】
この発明は、低圧配電設備に適用する配線用遮断器，漏電遮断器を対象とした回路遮断器の付属装置に関し、詳しくはその付属装置として回路遮断器に取り付けて使用する“不足電圧引き外し装置”および“外部操作ハンドル装置”の構成に係わる。
【背景技術】
【０００２】
周知のように頭記の回路遮断器には、オプションとして多様な種類の付属装置が用意されており、その一つに“不足電圧引き外し装置”がある。
この不足電圧引き外し装置は、保護対象となる回路の電圧（主回路，制御回路の電圧）があらかじめ規定した電圧（例えば、定格電圧の８５〜３５％の範囲）を下回った際に回路遮断器をトリップさせて主回路を断路するものである。その一例として、回路遮断器のケースの内部に挿入セットして使用する内蔵形の不足電圧引き外し装置が知られている（例えば、特許文献１参照）。
【０００３】
この内蔵形の不足電圧引き外し装置は、回路遮断器のケースに内装するカセットケースに、電磁石、該電磁石のアーマチャアに結合して回路遮断器のトリップクロスバーに対峙させたアクチュエータ、アーマチャアの釈放バネ、およびアーマチャアに連係したリセットレバーの組立体からなる引き外し機構を搭載した構成になる。
【０００４】
かかる不足電圧引き外し装置の動作，機能は特許文献１に詳しく述べられており、電磁石のコイルは回路遮断器の主回路を電源とする制御回路により通電励磁し、定常時には釈放バネに抗して電磁石のアーマチャアを吸引して前記アクチュエータを後退位置に保持している。一方、主回路の電圧が規定範囲を超えて低下すると、電磁石の吸引力が低下して前記アクチュエータの拘束を解除する。これにより、釈放バネのバネ付勢を受けて前記アクチュエータがトリップクロスバーを叩いて回路遮断器をトリップ動作させる。
【０００５】
そして、トリップ動作後に回路遮断器のハンドルをＯＦＦからＯＮ位置に投入操作すると、これに連動して不足電圧引き外し装置のリセットレバーが釈放バネに抗してアクチュエータを後退位置に引き戻す。この状態で主回路電圧が規定電圧の範囲に回復していれば、電磁石がアーマチュアを吸着してアクチュエータを後退位置に保持するので、回路遮断器の再投入が確立する。
【０００６】
また、回路遮断器の不足電圧引き外し装置として、前記した引き外し機構に早入り接点スイッチを組み合わせ、その早入り接点を電磁石コイルの電源回路に接続した“早入り接点付き不足電圧引き外し装置”も知られている(例えば、特許文献２参照)。
【０００７】
この早入り接点付き不足電圧引き外し装置は、回路遮断器の投入を安全，かつ的確に行うようにしたもので、先記した電磁石を含む引き外し機構に早入り接点スイッチ機構を併設した構成になり、当該装置を回路遮断器に組み付けた使用状態で、前記の早入り接点スイッチ機構を回路遮断器のハンドルに設けた駆動レバー（カム式レバー）などを介して連係させようにしている。
【０００８】
そして、回路遮断器をトリップ動作後に再投入するハンドル操作過程でＴＲＩＰ位置に停止している遮断器のハンドルを一旦ＯＦＦ位置に戻してからＯＮ位置に向けて移動すると、回路遮断器の主回路接点が閉極するよりも前に早入り接点が閉じて電磁石コイルを通電励磁する。この際に主回路の電圧が規定範囲の電圧に回復していれば、引き外し機構の電磁石のアーマチュアが吸着されてアクチュエータを後退位置に保持するので、ハンドルをＯＮ位置に移動すると回路遮断器の再投入が確立する。これに対して、主回路電圧が規定電圧に回復してないと、電磁石のアーマチュアが吸引されないので、ハンドルをＯＮ位置に移動しても回路遮断器はリセットされずにトリップ状態に戻る。
【０００９】
なお、早入り接点付き不足電圧引き外し装置は、特許文献１に開示した内蔵形の不足電圧引き外し装置と比べてサイズが大形であり、このままでは回路遮断器のケース内に組み込むことが困難であることから、通常は特許文献２のようにユニットケースを回路遮断器のケースの側面に外付けした上で、その早入り接点スイッチ機構を回路遮断器のロータリーハンドル（rotary handle）に付設した駆動レバーを介して連係するようにしている。
【００１０】
一方、前記した回路遮断器（配線用遮断器，漏電遮断器）は、一般に配電盤，分電盤，制御盤などの盤内に据付けて使用することから、その付属装置として回路遮断器を盤扉の前方から開閉操作する“外部操作ハンドル装置”がある。その一例として、外部操作ハンドル装置に装備したロータリーハンドルの操作により、回路遮断器のロッカーハンドル(locker handle)をＯＮ，ＯＦＦ，ＲＥＳＥＴ位置に駆動するようにした方式のものが知られている（例えば、特許文献３参照）。
【００１１】
次に、前記外部操作ハンドル装置の従来例の構造を図８で説明する。図８（ａ）〜（ｃ）において、１は回路遮断器（配線用遮断器）、２は回路遮断器１の付属装置として回路遮断器のケースに組み付けた外部操作ハンドル装置である。ここで、回路遮断器１は、ケース１ａに固定接触子１ｂ、可動接触子１ｃ、反転動作式のトグルリンク機構からなる開閉機構部１ｄ、該開閉機構部１ｄに連繋してケース１ａの頂部に配したロッカーハンドル１ｅ、および過電流引外し装置１ｆなどを搭載装備した構成になる。なお、５ａはハンドル４のＯＮ，ＯＦＦ，ＴＲＩＰ，ＲＥＳＥＴ位置を表示する銘板である。
【００１２】
上記の回路遮断器１の開閉動作は周知の通りであり、ロッカーハンドル１ｅを図示のＯＮ位置から右側に倒してＯＦＦ位置に切換えると、そのストローク途上で開閉機構部１ｄが反転動作し、開閉機構部１ｄの開閉ばねの付勢を受けて可動接触子１ｃが開極する。また、主回路の過電流を検知して過電流引外し装置１ｆが作動すると開閉機構部１ｄが釈放動作し、可動接触子１ｃが開極して主回路電流を遮断する。なお、このトリップ動作により、ロッカーハンドル１ｅはＯＮ位置とＯＦＦ位置との中間位置に移動してトリップ動作状態を表示する。
【００１３】
一方、外部操作ハンドル装置２は、回路遮断器１のケース１ａの頂部にネジ締結して固定したベース３にロータリーハンドル４，ハンドルカバー５，およびスライドベース６などのドライブ部品を搭載した構成になり、ロータリーハンドル４の支軸４ａに連結したターンベース４ｂがクランクピン４ｃを備えている。また、前記スライドベース６は回路遮断器１のロッカーハンドル１ｅと平行な向きにスライド可能に案内支持されており、その板面にはスライド方向と直交する向きに長穴６ａを開口し、この長穴６ａに前記クランクピン４ｃを嵌入してロータリーハンドル４との間を連係している。また、スライドベース６には、外部操作ハンドル装置２を回路遮断器１に組付けた状態で、回路遮断器１のケース１ａから突き出したロッカーハンドル１ｅの摘み部に対向してＯＮ側から対峙するプッシャー６ｂ、および該プッシャー６ｂをハンドル１ｅの摘み部に向けて背後から押圧する付勢バネ６ｃを備えている。
【００１４】
上記の構成で、ロータリーハンドル４を手動操作でＯＮ位置からＯＦＦ位置に回すと、クランクピン４ｃを介してスライドベース６が右方向にスライド移動し、プッシャー６ｂを介して回路遮断器１のロッカーハンドル１ｅをＯＦＦ位置に向けて駆動する。ここで、ハンドル１ｅが移動ストロークの略中間位置まで変位すると、回路遮断器１に設けた開閉機構部１ｄのトグルリンク機構が反転動作する。これにより、可動接触子１ｃが固定接触子１ｂから開離して開極終端位置に移動し、回路遮断器１がＯＦＦとなる。
【００１５】
また、回路遮断器１が過電流を検知してトリップ動作すると、ロッカーハンドル１ｅに連係した外部操作ハンドル装置２のハンドル４はＯＮ位置とＯＦＦ位置の中間のＴＲＩＰ位置に移動して停止する。そして、この状態から回路遮断器１を再投入するには、まず、ロータリーハンドル４をＲＥＳＥＴ位置に回す。これにより回路遮断器１の開閉機構部１ｄに連係した引き外し機構がリセットされ、続いてロータリーハンドル４を反転してＯＮ位置に回すと、回路遮断器１のロッカーハンドル１ｅがＯＦＦ位置に移動し、可動接触子１ｃが固定接触子１ｂに接触して回路遮断器１の投入が確立する。
【先行技術文献】
【特許文献】
【００１６】
【特許文献１】特開平１０−２５５６３９号公報
【特許文献２】特許第３８６７５４１号公報
【特許文献３】特開２００７−１３４１４８号公報（図７−図８）
【発明の概要】
【発明が解決しようとする課題】
【００１７】
ところで、回路遮断器の付属装置としてメーカーが用意した前記従来の不足電圧引き外し装置，外部操作ハンドル装置は、ユーザーが指定したオプションの仕様との対応で次記のような問題点がある。
【００１８】
すなわち、前記回路遮断器のオプションとしてメーカーが用意した各種の付属装置は、配電設備の保護システム，ユーザーの指定に対応して採用するようにしている。この場合に、不足電圧引き外し装置のオプション品については、先記のように早入り接点機構を備えていない通常の内蔵形の“不足電圧引き外し装置”（特許文献１参照）、および“早入り接点付きの不足電圧引き外し装置”（特許文献２参照）のタイプがあり、さらにその仕様は回路遮断器の機種，定格電圧などによって異なる。そのほか、回路遮断器に外部操作ハンドル装置を組み合わせて使用する場合もあるなど、付属装置の採用機種は回路遮断器の使用環境，ユーザーの指定などによって様々である。
【００１９】
このために、回路遮断器のメーカーは、ユーザーの指定するオプションに備えて機種，仕様の異なる多数機種の不足電圧引き外し装置を準備しておく必要があり、そのオプション品の在庫管理には経費がかかることになる。
【００２０】
しかも、回路遮断器の付属装置として、先記した“早入り接点付き不足電圧引き外し装置”（特許文献２参照）を採用する場合には、回路遮断器に早入り接点スイッチ機構に連係する駆動レバーを備えた専用のロータリーハンドルを装備しておく必要がある。
【００２１】
しかしながら、通常の回路遮断器（図８参照）にはロッカーハンドルが標準装備されていることから、“早入り接点付き不足電圧引き外し装置”を採用する場合には、専用のロータリーハンドルを備えた機種の回路遮断器を使用する必要がある。なお、“早入り接点付き不足電圧引き外し装置”との対応に備えてあらかじめ回路遮断器に前記した専用のロータリーハンドルを標準装備しておくと、“早入り接点付き不足電圧引き外し装置”を使用しない場合には過剰な仕様となって回路遮断器の製品価格が高くなる問題もある。
【００２２】
この発明は上記の点に鑑みなされたものであり、その目的は回路遮断器に適用する“不足電圧引き外し装置”について、この不足電圧引き外し装置に関連するオプション品を複数のユニットに分けて構成しておき、ユーザーが指定したオプションの仕様に合わせて選択した前記ユニットを組み合わせて回路遮断器に使用することで、様々な指定オプションの仕様にも簡単に対応できるようにした回路遮断器の付属装置を提供することにある。
【課題を解決するための手段】
【００２３】
上記目的を達成するために、この発明によれば、外部操作ハンドル装置”および“不足電圧引き外し装置”を付属装置として備えた回路遮断器の付属装置において、
前記“不足電圧引き外し装置”を、引き外し機構を備えた“引き外しユニット”と早入り接点を備えた“早入り接点ユニット”の二つのモジュールに分けた上で、前記引き外しユニットを回路遮断器のケースに内装し、早入り接点ユニットは外部操作ハンドル装置に外付けして前記早入り接点を外部操作ハンドル装置の内部機構に連係し、外部操作ハンドル装置のＯＮ操作途上で回路遮断器の主回路接点が閉極するより前の行程で前記早入り接点を閉じるものとし（請求項１）、具体的には“外部操作ハンドル装置”，および“早入り接点ユニット”を次記のような態様で構成する。
（１）前記“外部操作ハンドル装置”は回路遮断器のケースに取り付けるベースと、ロータリー式ハンドルと、該ハンドルの回転を直線方向の動きに変換して回路遮断器のロッカー式のハンドルをＯＮ，ＯＦＦ方向に駆動するスライドベースと、該スライドベースに搭載してＯＮ操作方向から前記ロッカー式ハンドルに対峙させたプッシャー，および該プッシャーを背後から付勢するバネを備え、かつ前記スライドベースとプッシャーとの間に遊びストロークを設定した構成になり、回路遮断器の投入操作過程で前記遊びストロークに対応するスライドベースの移動を捉えて早入り接点ユニットの早入り接点を開閉動作させるようにする（請求項２）。
（２）前記“早入り接点ユニット”が早入り接点を備えたリミットスイッチと、該リミットスイッチを保持した端子付きのフレームとの組立体からなり、前記フレームを“外部操作ハンドル装置”のベースに着脱可能に取り付け、この取付け位置でリミットスイッチの操作端を外部操作ハンドル装置のスライドベースに連係させる（請求項３）。
【発明の効果】
【００２４】
回路遮断器の付属装置として、“不足電圧引き外し装置”を前記のように構成したことにより、最小種類のオプション品を適宜に選択して回路遮断器に適用することで、様々な指定オプションの仕様にも簡単に対応できる。
【００２５】
すなわち、回路遮断器の付属装置として、早入り接点機能を有しない通常の不足電圧引き外し装置を適用する場合には、先記した“引き外しユニット”を回路遮断器のケースに内装することで即対応できる。また、この場合には必要に応じて外部操作ハンドル装置を回路遮断器に組み付けて使用できる。
【００２６】
一方、不足電圧引き外し装置として、そのオプションの仕様を早入り接点機能付きのものに変更する場合には、前記した既存の“引き外しユニット”をそのまま流用して回路遮断器のケースに内装し、これに“早入り接点ユニット”のオプション品を追加して回路遮断器に組み付けた“外部操作ハンドル装置”に外付けすることで簡単に対応できる。したがって、回路遮断器のメーカーは従来よりも少ない種類のオプション品を用意するだけでよく、そのオプション品の在庫，管理に要する経費の大幅な節減化が図れる。
【図面の簡単な説明】
【００２７】
【図１】回路遮断器に外部操作ハンドル装置，不足電圧引き外し装置の付属装置を組み付けたこの発明の実施例の分解斜視図である。
【図２】図１の回路遮断器に適用する早入り接点付き不足電圧引き外し装置の構成図であって、（ａ），（ｂ）はそれぞれ引き外しユニット，早入り接点ユニットの斜視図である。
【図３】図１における外部操作ハンドル装置の組立構造図であって、（ａ）は装置全体の分解斜視図、（ｂ）は（ａ）におけるスライドベースの分解斜視図である。
【図４】図３に示した外部操作ハンドル装置の操作状態を表す図であって、（ａ），（ｂ）はそれぞれハンドルをＯＮ，およびＯＦＦ位置に回した状態を表す斜視図である。
【図５】図３の外部操作ハンドル装置に図２の早入り接点ユニットを外付けして回路遮断器に組み付けた使用状態の外観斜視図である。
【図６】図５から早入り接点ユニットを外した使用状態の外観斜視図である。
【図７】図５の早入り接点ユニットの使用状態におけるハンドル操作の動作説明図であって、（ａ）〜（ｄ）はそれぞれ外部操作ハンドル装置のハンドルをＯＦＦ位置からＯＮ位置に回転した際のハンドル位置の推移を表す図、（ｅ）〜（ｈ）はそれぞれ（ａ）〜（ｄ）に対応するスライドベース，プッシャー，回路遮断器のロッカーハンドル，および早入り接点ユニットの動作の推移を表す図である。
【図８】従来の外部操作ハンドル装置を回路遮断器に組み付けた使用状態の構造図であって、（ａ）は側視断面図、（ｂ）は平面図、（ｃ）は外部操作ハンドル装置の内部機構を表す斜視図である。
【発明を実施するための形態】
【００２８】
以下、この発明の実施の形態を図１〜図７に示す実施例に基づいて説明する。なお、実施例の図中で図８に対応する部材には同じ符号を付してその説明は省略する。
まず、回路遮断器に外部操作ハンドル装置，不足電圧引き外し装置の付属装置を組み付けたこの発明の実施例を図１に示す。図において、１はケース１ａの頂部にロッカーハンドル１ｅを備えた回路遮断器、２は“外部操作ハンドル装置”、７は回路遮断器１のケース１ａに内装した不足電圧引き外し装置の“引き外しユニット”、８は外部操作ハンドル装置２のベース３の裏面側に着脱可能に外付けして回路遮断器1との間に配置した不足電圧引き外し装置の“早入り接点ユニット”である。
【００２９】
ここで、“引き外しユニット”７は、図２（ａ）で示すようにカセット式のユニットケースに先記の特許文献１と同様な電磁石を含む引き外し機構が搭載された構成になる。なお、７ａはユニットケースから突き出して回路遮断器のトリップクロスバーに対峙するアクチュエータ、７ｂはリセットレバーである。一方、“早入り接点ユニット”８は、図２（ｂ）で示すように早入り接点を備えたリミットスイッチ８ａと、該リミットスイッチ８ａを保持する取付けフレーム８ｂの組立体からなり、該取付けフレーム８ｂには外部接続端子８ｃ，端子ネジ８ｄ、および取付けフレーム８ｂの両端から上方に突き出す一対の支持脚（スナップフィット（snap fit））８ｅを備えている。
【００３０】
また、外部操作ハンドル装置２は、図８に示した従来の外部操作ハンドル装置と略同様な構成でその詳細構造を図３に示す。すなわち、外部操作ハンドル装置のベース３に搭載して直線方向に案内支持したスライドベース６は、その上面側に植設したピン６ｄをターンベース４ｂの溝穴４ｂ−１に嵌入し、支軸４ａを介してロータリーハンドル４に連結している。またスライドベース６の板面には凸字形の窓穴６ｅが切欠き開口し、この窓穴６ｅには後述するようにスライドベース６との間に遊びストロークを設定して回路遮断器１のロッカーハンドル１ｅ（図１参照）にＯＮ側から対峙させたプッシャー６ｂ、および該プッシャー６ｂを背後から付勢するバネ力の弱いバネ(コイルバネ)６ｃが組み込まれている。さらに、スライドベース６の移動方向に沿った側面には、先記した早入り接点ユニット８のリミットスイッチ８ａ（図２（ｂ）参照）を開閉するドッグ（dog）として機能するカム溝６ｆが形成されている。
【００３１】
なお、図４（ａ），（ｂ）は前記外部操作ハンドル装置２の組立状態を表しており、ロータリーハンドル４を手動でＯＮ，ＯＦＦ位置に回すと、ハンドル４に連動してスライドベース６が直線方向にスライド移動し、図８で述べたように回路遮断器１のロッカーハンドル１ｅをＯＮ，ＯＦＦ位置に駆動する。
【００３２】
また、図５は回路遮断器１（図中には描かれてないが回路遮断器のケースには前記した不足電圧引き外し装置の“引き外しユニット”７が内装セットされている）に取付けた外部操作ハンドル装置２に不足電圧引き外し装置の“早入り接点ユニット”８を追加装備した使用状態を表している。ここで、早入り接点ユニット８は、そのフレーム８ｂに設けた支持脚８ｅを外部操作ハンドル装置２のベース３に穿孔した係合穴３ｅ（図１参照）に裏面側から差し込んで着脱可能にスナップフィット結合する。また、この組立て状態では、早入り接点ユニット８の端子８ｃが引き外しユニット７に内蔵した電磁石コイルの励磁回路に接続される。一方、図６は早入り接点ユニット８を使用しないで、“引き外しユニット”７を回路遮断器１のケースに内装セットした使用状態を表している。
【００３３】
すなわち、不足電圧引き外し装置を前記 “引き外しユニット”７と“早入り接点ユニット”８との二つのオプションパーツに分けて構成しておくことにより、オプションとして早入り接点機能無しの不足電圧引き外し装置を適用する場合には、図６のように回路遮断器１のケース１ａに引き外しユニット７を挿入セットして使用することで即対応できる。
【００３４】
また、この不足電圧引き外し装置に早入り接点付きの機能を持たせる場合には、図５のように“早入り接点ユニット”８を追加して外部操作ハンドル装置２に組み付けることで、“早入り接点付き不足電圧引き外し装置”のオプション仕様にも簡単に対応できる。
【００３５】
次に、外部操作ハンドル装置２に前記の早入り接点ユニット８を組み付けた使用状態において、ハンドル操作に対応する早入り接点の動作の推移を図７で説明する。
まず、図７（ａ），（ｅ）は外部操作ハンドル装置２のロータリーハンドル４がＯＦＦ位置に停止している状態を表している。この状態では、スライドベース６が復帰バネ９（引っ張りコイルバネ）の付勢により移動ストロークの左端に停止しており、この位置ではバネ６ｃで付勢されているプッシャー６ｂの後端とスライドベース６に開口した窓穴６ｅの後端との間に遊びストロークＬ1が保持されている。また、この位置ではスライドベース６の側面に配した早入り接点ユニット８のリミットスイッチ８ａがスライドベース６のカム溝６ｆに対峙していて早入り接点はＯＦＦである。
【００３６】
この状態からロータリーハンドル４をＯＮ位置に向けて回し始めると（図７（ｂ）参照）、これに従動してスライドベース６が右方向に移動を開始する。この場合に、前記の遊びストロークＬ1（図７（ｅ）参照）に対応する移動開始直後のストローク行程範囲では、弱いバネ６ｃで背後から付勢されたプッシャー６ｂが回路遮断器のロッカーハンドル１ｅに当接するが、該ロッカーハンドル１ｅはＯＦＦ位置に停止したまま、前記リミットスイッチ８ａがスライドベース６のカム溝６ｆから脱して早入り接点が閉じる（ＯＮ動作）。これにより、不足電圧引き外し装置の“引き外しユニット”７（図２（ａ）参照）に内蔵した電磁石のコイルが通電励磁されるようになる。
【００３７】
そして、ロータリーハンドル４を図７（ｂ）の位置からＯＮ位置に向けてさらに回転し続けると、スライドベース６がプッシャー６ｂと一体に回路遮断器のロッカーハンドル１ｅを押し、その移動ストロークの中間で回路遮断器の開閉機構部１ｄのトグルリンク機構（図８参照）が急速に反転動作する。これにより、トグルリンク機構の開閉バネの付勢を受けて主回路接点が閉極し、同時にロッカーハンドル１ｅは図７（ｅ）に示すストロークエンドに到達してこのＯＮ位置に停止する。なお、この主回路接点の閉極動作に伴うロッカーハンドル１ｅの動作ストロークを図中にＬ2で表している。
【００３８】
また、回路遮断器のロッカーハンドル１ｅがＯＮ位置に到達すると、外部操作ハンドル装置２のロータリーハンドル４は図７（ｃ）のようにＯＮ位置を若干超えてオーバーランした後に、図７（ｄ）のＯＮ位置に停止する。また、このロータリーハンドル４の動きに伴い、スライドベース６，プッシャー８ｂは図７（ｇ）を経て（ｈ）の位置に停止することになる。なお、“早入り接点ユニット”のリミットスイッチ８ａは、回路遮断器の主回路接点が閉極した後もＯＮ状態を保持して“引き外しユニット”７（図２（ａ）参照）に内蔵した電磁石コイルを通電励磁に維持する。
【００３９】
上記の説明から明らかなように、図示実施例の不足電圧引き外し装置は、“引き外しユニット”７と“早入り接点ユニット”８を組み合わせることで特許文献２で述べた“早入り接点付き不足電圧引き外し装置”と同様な動作，機能を発揮できる。しかも、特許文献２で述べたように回路遮断器には早入り接点に連係させる専用のロータリーハンドルを装備する必要がなく、“外部操作ハンドル装置”のスライドベースに若干の変更を加え、この外部操作ハンドル装置に先記の“早入り接点ユニット”８を追加して外付けするだけで、既存の内蔵形不足電圧引き外し装置（特許文献１参照）をそのまま流用して“早入り接点機能付きの不足電圧引き外し装置”のオプション仕様にも簡単に対応させることができる。これにより、回路遮断器のメーカーは、不足電圧引き外し装置に対応する付属装置として用意するオプション製品の種類を従来よりも少なくしてその在庫，管理に要する経費の節減化が図れる。
【符号の説明】
【００４０】
１：回路遮断器
１ａ：遮断器ケース
１ｅ：ロッカーハンドル
２：外部操作ハンドル装置
３：ベース
４：ロータリーハンドル
６：スライドベース
６ｂ：プッシャー
６ｃ：バネ
６ｆ：カム溝
７：引き外しユニット
８：早入り接点ユニット
８ａ：リミットスイッチ
８ｂ：フレーム
８ｅ：支持脚
【図１】
2011119163.tif 000003
【図２】
2011119163.tif 000004
【図３】
2011119163.tif 000005
【図４】
2011119163.tif 000006
【図５】
2011119163.tif 000007
【図６】
2011119163.tif 000008
【図７】
2011119163.tif 000009
【図８】
2011119163.tif 000010